(57)【要約】【課題】制御基板に取り付けられる制御基板側コネクタと、この制御基板側コネクタにコンタクトするハーネス側コネクタとからなる遊技機用コネクタであって、変造ハーネスに交換されるような不正行為を防止すると共に、ハーネス側コネクタの着脱が必要な場合にはこれを可能とする。【解決手段】制御基板（１０）には、制御基板側コネクタ（３１）の外縁の位置に一対の係止部（３１ａ）が貫通して設けられ、ハーネス側コネクタ（３２）には、制御基板コネクタ（３１）の外面を覆うと共に、制御基板（１０）の係止部（１０ａ）と貫通して係止する弾性爪（３２ａ）が設けられている。【選択図】図３
2007267895.tif 000002
【特許請求の範囲】
【請求項１】
制御基板に取り付けられる制御基板側コネクタと、該制御基板側コネクタにコンタクトするハーネス側コネクタとからなる遊技機用コネクタであって、前記制御基板には、前記制御基板側コネクタの外縁の位置に少なくとも一対の係止部が貫通して設けられ、前記ハーネス側コネクタには、前記制御基板コネクタの外面を覆うと共に前記制御基板の係止部を貫通して前記制御基板の裏面で係止する弾性爪が設けられていることを特徴とする遊技機用コネクタ。
【発明の詳細な説明】
【技術分野】
【０００１】
本発明は、スロットマシンやパチンコ機などの遊技機用コネクタに関する。
【背景技術】
【０００２】
スロットマシンやパチンコ機などの遊技機には、遊技機の作動を制御する制御基板が設けられている。例えば、スロットマシンでは、その筐体内に、ＣＰＵ、ＲＯＭ、ＲＡＭなどの電子部品が実装された制御基板が取り付けられ、賞球やメダルの払出制御、電動役物の開閉制御、リールの回転制御、図柄組み合わせの発生確率制御など、スロットマシンの入賞装置を制御している。制御基板に実装されたＣＰＵ、ＲＯＭ、ＲＡＭなどの電子部品は、偽造ＲＯＭへの差し替えなどの不正行為を防止するため、基板ケース内に収容され、万一、基板ケースが不正に開かれたとき、その痕跡が残るように特殊ネジや封印シールで封印されている。
【０００３】
制御基板の端部には、基板ケースから外部に露出して、制御基板に実装された電子部品とスロットマシンの入賞装置とを電気的に接続する制御基板側コネクタが設けられている。この制御基板側コネクタは、ケーブルで入賞装置に連結されたハーネス側コネクタとコンタクトするようになっている。
【０００４】
一方、遊技機の製造段階や遊技店においては、制御基板側コネクタとハーネス側コネクタとのコンタクトを外し、遊技ソフトの保守や新しい遊技ソフトの交換などの作業を行うことがある。そして、これらの作業を行った後は、再度、制御基板側コネクタとハーネス側コネクタをコンタクトし、両コネクタを封印シールにより封印している。
【０００５】
従来の両コネクタの封印シールは、シール用フィルムの裏面に接着剤を塗布しただけの簡単な構造のものであるため、ある種の溶剤と加熱、またカッターナイフなどで封印シールを巧妙に剥がして、賞球やメダしがされるような変造ハーネスに交換され、封印シールを元の状態に戻すというような不正行為を許してしまうことがある。このような変造ハーネスに交換するのは、深夜など遊技機店側が気付かない間に行われ、営業時間内に店員の目を盗んで行われることもある。変造ハーネスは、スロットマシンに本来付いているハーネスと外観が同じであるため、一度、基板側コネクタに接続されると、遊技店側がこれを発見するには、スロットマシンを分解してチェックしなければならないので、煩雑な作業を必要とし、また、チェックしている間にも不正に賞球やメダルの払い出しがされ、遊技店は多くの損失を被ることになる。
【０００６】
これを解決しようとして、特許文献１には、制御基板側コネクタに一対の係止凹部を設け、この制御基板側コネクタに接続されるハーネス側コネクタの内部に制御基板側コネクタの係止凹部に係合する一対の係止爪を設け、ハーネス側コネクタを制御基板側コネクタに接続したときに係合爪が係止凹部に係合して、制御基板側コネクタとハーネス側コネクタとを接続状態で離脱不能に結合する、遊技機用コネクタが提案されている。
【０００７】
【特許文献１】特開２００１−１３７５０７号公報
【発明の開示】
【発明が解決しようとする課題】
【０００８】
特許文献１に提案される遊技機用コネクタは、ハーネス側コネクタを一旦制御基板側コネクタと接続すれば、両者の接続状態は解除できないので、ハーネス側コネクタを外して変造ハーネスには交換されず、不正行為を許さない点では効果的である。しかしながら、遊技機の製造段階や遊技店において、遊技ソフトの保守や新しい遊技ソフトの交換などの作業を行う場合には、制御基板側コネクタとハーネス側コネクタとの接続を外し、遊技ソフトの保守や新しい遊技ソフトの交換などの作業を行うことがある。したがって、特許文献１に提案される遊技機用コネクタでは、ハーネス側コネクタの着脱も必要な遊技機には、使用することができない。
【０００９】
本発明は上記課題に鑑みてなされたものであり、制御基板に取り付けられる制御基板側コネクタと、該制御基板側コネクタにコンタクトするハーネス側コネクタとからなる遊技機用コネクタであって、変造ハーネスに交換されるような不正行為を防止すると共に、ハーネス側コネクタの着脱が必要な場合にはこれが可能となる、遊技機用コネクタを提供することを目的とする。
【課題を解決するための手段】
【００１０】
本発明者らは、上記課題について鋭意研究した。その結果、遊技機用コネクタとして、制御基板には、制御基板側コネクタの外縁の位置に一対の係止部が貫通して設けられ、ハーネス側コネクタには、制御基板コネクタの外面を覆うと共に制御基板の係止部を貫通して制御基板の裏面で係止する弾性爪が設けられていることで、上記課題が解決できるとの知見を得、本発明に想到した。
【００１１】
すなわち本発明は、制御基板に取り付けられる制御基板側コネクタと、該制御基板側コネクタにコンタクトするハーネス側コネクタとからなる遊技機用コネクタであって、前記制御基板には、前記制御基板側コネクタの外縁の位置に少なくとも一対の係止部が貫通して設けられ、前記ハーネス側コネクタには、前記制御基板コネクタの外面を覆うと共に前記制御基板の係止部を貫通して前記制御基板の裏面で係止する弾性爪が設けられていることを特徴とする。
【発明の効果】
【００１２】
本発明によれば、変造ハーネスに交換されるような不正行為を防止すると共に、ハーネス側コネクタの着脱が必要な場合にはこれが可能となる。
【発明を実施するための最良の形態】
【００１３】
以下、実施の形態の一例について、図１乃至図３に基づき詳細に説明する。
【００１４】
図１は、実施の形態の一例のスロットマシンＳＭの外部構造を示す斜視図、図２は、図１のスロットマシンＳＭの内部構造を示す正面図である。
【００１５】
図１で、スロットマシンＳＭは、箱形形状の本体筐体ＢＸＲと、遊技者に面し、本体筐体ＢＸＲに開閉可能に取り付けられる前面パネル筐体ＢＸＬとを備えている。前面パネル筐体ＢＸＬは、金属製のフレームに硬質プラスチックなどで成形された前面パネルが取り付けられた強固な構造を有し、この前面パネルは、上部パネル部ＵＰＮと中間パネル部ＭＰＮと下部パネル部ＤＰＮとで構成されている。
【００１６】
上部パネル部ＵＰＮには、演出用ランプＬＰと、スピーカＳＰ１が取り付けられる放音部と、クレジット枚数を表示するＬＥＤと大当たりなどを表示するランプ類が実装された中央表示部ＭＤＰが設けられている。
【００１７】
また、中間パネル部ＭＰＮには、略長方形のリール表示窓ＦＷを持つ透明液晶が実装された液晶表示パネルを備えている。液晶表示パネルは、薄膜トランジスタ層が形成されたガラス板などの透明基板と、これに対向する透明な基板間に液晶が封入され、表示面側に光が透過すると、透過した光が外部から視認され、液晶を駆動していなくてもリール表示窓ＦＷを介して回胴リールＲ１、Ｒ２、Ｒ３が視認できるようになっている。中間パネル部ＭＰＮの下端には操作卓ＴＢが設けられ、この操作卓ＴＢには１ゲーム当たりのメダル数を提示するためのベットボタンＢＥＴと、遊技者が遊技用メダルを投入するためのメダル投入部ＭＤと、１ゲームの開始を指示するためのスタートレバーＳＬと、回転中の回胴リールＲ１、Ｒ２、Ｒ３を個別に停止させるための３個のストップボタンＳＴＰが設けられている。
【００１８】
下部パネル部ＤＰＮには、スロットマシンＳＭのゲーム内容に関連した画像が描かれる表示部ＤＰＬと、遊技者の獲得したメダルを払い出すためのメダル払出口ＭＥＸおよび受皿ＴＵと、スピーカＳＰ２が設けられている。
【００１９】
次に、図２により、スロットマシンＳＭの本体筐体ＢＸＲと前面パネル筐体ＢＸＬの内部構造について説明する。図２で、（ａ）側に示す本体筐体ＢＸＲ内には、その上部に主制御基板アッセンブリＭＢＡが、中央部には第１〜第３リールＲ１〜Ｒ３が、また下部にはメダルホッパーＨＰＵや主電源装置ＰＷＵ、補助ホッパ装置ＳＨＰなどが配設されている。図２で、（ｂ）側に示す前面パネル筐体ＢＸＬ内には、その上部に演出画面、ランプおよび効果音などの演出音の出力を制御する副基板アッセンブリＳＢＡが、中央部には、第１〜第３リールＲ１〜Ｒ３と対向する位置にこれらのリールＲ１〜Ｒ３を外部から透視できるように開口した表示部ＦＷが、下部には、投入されたメダルをメダルホッパーＨＰＵに導入する通路Ｇ１、払い出されるメダルを図１に示すメダル払出口ＭＥＸに導くメダル通路Ｇ２などが配設されている。
【００２０】
図２で（ａ）側の主制御基板アッセンブリＭＢＡのうち、制御基板１０の主要部は、ケース本体（２１）とケース蓋（２２）からなる基板ケース２０内に収納されている。制御基板１０には、確率演算ＣＰＵやＲＯＭ、ＲＡＭなどの電子部品が実装され、払出し機構による賞球の払出しや、役物の開閉制御、図柄組み合わせの発生確率制御などを始めとしてスロットマシンＳＭの作動を統括的に制御している。また、制御基板１０への不正行為を防止するため、基板ケース２０は特殊ネジ５０でかしめられ、封印シール（図示せず）で封印されている。
【００２１】
基板ケース２０から外部に露出した制御基板１０の端部には、制御基板側コネクタ（３１）が取り付けられ、この制御基板側コネクタ（３１）は、役物などの入賞装置などのセンサほかと制御基板と電気的に接続しているハーネス側コネクタ（３２）とコンタクトし、制御基板側コネクタ（３１）とハーネス側コネクタ（３２）とで遊技機用コネクタ３０とされ、さらに遊技機用コネクタ３０は封印シール（図示せず）で封印されている。
【００２２】
図３は、図２の二点鎖線の円で囲んだ遊技機用コネクタ３０を示し、（ａ）は、コンタクト前の、制御基板１０上の制御基板側コネクタ３１とハーネス側コネクタ３２の斜視図、（ｂ）は、コンタクト後の、制御基板１０上の制御基板側コネクタ３１とハーネス側コネクタ３２の斜視図、（ｃ）は、コンタクト後の、制御基板１０上の制御基板側コネクタ３１とハーネス側コネクタ３２の断面図である。
【００２３】
図３（ａ）で、制御基板側コネクタ３１には、ソケット状の複数の端子３１ｂが設けられ、ハーネス側コネクタ３２には、制御基板側コネクタ３１のソケット状の端子３１ｂに接触して嵌入するプラグ状の複数の端子３２ｂが設けられている。制御基板１０には、制御基板側コネクタ３１の外縁の位置に一対の係止部１０ａが角孔状に貫通して設けられている。また、ハーネス側コネクタ３２には、制御基板コネクタ３１を覆うと共に、制御基板１０の係止部１０ａに嵌入後に係止する弾性爪３２ａが設けられている。そして、制御基板側コネクタ３１とハーネス側コネクタ３２との接続は、図３（ｂ）（ｃ）に示すように、ハーネス側コネクタ３２の端子３２ｂを制御基板側コネクタ３１の端子３１ｂに挿入し、次いで、ハーネス側コネクタ３２の弾性爪３２ａを制御基板１０の係止部１０ａに嵌入することで行なわれている。
【００２４】
上述のように、ハーネス側コネクタ３２で制御基板コネクタ３１の外面を覆い、さらにハーネス側コネクタ３２の弾性爪３２ａで制御基板１０の係止部１０ａと係止しているので、ハーネス３２ｃ側からハーネス側コネクタ３２を外すことはできない。したがって、ハーネス側コネクタ３２が変造ハーネスに交換されるような不正行為が防止されている。
【００２５】
一方、遊技機の製造段階や遊技店において、遊技ソフトの保守や新しい遊技ソフトの交換などの作業を行う場合には、図３（ｃ）に示すように、遊制御基板１０の裏面１０ｂから、ハーネス側コネクタ３２の係止爪３２ａを内側のＦ方向（点線矢印で示す）に外すことで、制御基板側コネクタ３１とハーネス側コネクタ３２とのコンタクトを解除することが可能となっている。
【産業上の利用可能性】
【００２６】
以上の実施の形態においては、スロットマシンＳＭについて説明したが、本発明はこれに限定されず、パチンコ機ほかの遊技機、電気料金などのメータ機器その他、本発明の主旨の範囲で適用することが可能である。
【図面の簡単な説明】
【００２７】
【図１】実施の形態の一例のスロットマシンＳＭの外部構造を示す斜視図である。
【図２】図１のスロットマシンＳＭの内部構造を示す斜視図である。
【図３】図２の二点鎖線の円で囲んだ遊技機用コネクタ３０を示し、（ａ）は、接続前の、制御基板１０上の制御基板側コネクタ３１とハーネス側コネクタ３２の斜視図、（ｂ）は、接続後の、制御基板１０上の制御基板側コネクタ３１とハーネス側コネクタ３２の断面図である。
【符号の説明】
【００２８】
ＢＥＴ：ベットボタン
ＢＸＲ：本体筐体
ＢＸＬ：前面パネル筐体
ＤＰＬ：表示部
ＤＰＮ：下部パネル
ＦＷ：リール表示窓
Ｇ１：通路
Ｇ２：メダル通路
ＨＰＵ：ホッパ装置
ＬＰ：演出用ランプ
ＭＢＡ：主基板アセンブリー
ＭＤ：メダル投入口
ＭＤＰ：中央表示部
ＭＥＸ：メダル払出口
ＭＰＮ：中間パネル
ＰＷＵ：主電源装置
Ｒ１、Ｒ２、Ｒ３：回胴リール
ＳＢＡ：副基板アセンブリー
ＳＨＰ：補助ホッパ装置
ＳＬ：スタートレバー
ＳＭ：スロットマシン
ＳＰ１：スピーカ
ＳＰ２：スピーカ
ＳＴＰ：ストップボタン
ＴＢ：操作卓
ＴＵ：受皿
ＵＰＮ：上部パネル
１０：制御基板
１０ａ：係止部
２０：基板ケース
２１：ケース本体
２２：ケース蓋
３０：遊技機用コネクタ
３１：制御基板側コネクタ
３１ｂ：端子
３２：ハーネス側コネクタ
３２ａ：弾性爪
３２ｂ：端子
３２ｃ：ハーネス
５０：特殊ネジ
【図１】
2007267895.tif 000003
【図２】
2007267895.tif 000004
【図３】
2007267895.tif 000005